(57)【要約】【課題】複数の異なる発光色のＬＥＤ光源の発光輝度を調整している際に、その複数のＬＥＤ光源の全ての発光輝度がレベル０となってしまうことを防止することができるマルチカラー表示器を提供する。【解決手段】複数の異なる発光色からなるＬＥＤ光源１７，１８，１９により被表示体が背面から照明され、この複数のＬＥＤ光源１７，１８，１９の発光輝度が操作部２４により独立してレベル０を含む複数段階に調整されると共にその調整時に全てのＬＥＤ光源１７，１８，１９の発光輝度がレベル０とされた際には制御部２０によりその調整が無効とされる。【選択図】      図１
2004219580.tif 000002
【特許請求の範囲】
【請求項１】
被表示体を背面から照明するための複数の異なる発光色からなるＬＥＤ光源と、該複数のＬＥＤ光源の発光輝度を独立してレベル０を含む複数段階に調整する操作部とを備えたマルチカラー表示器において、
前記操作部によって前記複数のＬＥＤ光源の調整により全てのＬＥＤ光源の発光輝度がレベル０とされた際にはその調整を無効とする制御部を備えていることを特徴とするマルチカラー表示器。
【請求項２】
被表示体を背面から照明するための複数の異なる発光色からなるＬＥＤ光源と、該複数のＬＥＤ光源の発光輝度を独立してレベル０を含む複数段階に調整する操作部とを備えたマルチカラー表示器において、
前記操作部によって前記複数のＬＥＤ光源の調整により全てのＬＥＤ光源の発光輝度がレベル０とされた際には少なくとも一つのＬＥＤ光源の発光輝度をレベル１以上とする制御部を備えていることを特徴とするマルチカラー表示器。
【請求項３】
前記制御部は、前記操作部によって前記複数のＬＥＤ光源の調整により全てのＬＥＤ光源の発光輝度がレベル０とされた際には、その最後にレベル０に調整されたＬＥＤ光源の発光輝度をレベル１以上とすることを特徴とする請求項２に記載のマルチカラー表示器。
【発明の詳細な説明】
【０００１】
【発明の属する技術分野】
本発明は、液晶表示器や操作スイッチを被表示体とし、その被表示体を背面から照明するバックライト用光源に複数の異なる発光色を備えたＬＥＤ光源が用いられると共に、その複数のＬＥＤ光源の発光輝度を独立して複数段階に調整することで多色バックライトとすることができるマルチカラー表示器に関する。
【０００２】
【従来の技術】
従来から、液晶表示器や操作スイッチを被表示体とし、その被表示体を背面から照明するバックライト用光源に複数の異なる発光色を備えたＬＥＤ光源が用いられると共に、その複数のＬＥＤ光源の発光輝度を独立して複数段階に調整することで多色バックライトとすることができるマルチカラー表示器が知られている（例えば、特許文献１参照）。
【０００３】
尚、このような複数のＬＥＤ光源の発光輝度を調整する場合としては、その複数の異なる発光色のＬＥＤ光源の発光輝度を組み合わせることにより、バックライトの色合いを好みの色に調整する場合のほか、全体のバックライト機能としての明暗調整としても行われる。
【０００４】
【特許文献１】
特開平１０−０４９０７４号公報
【０００５】
【発明が解決しようとする課題】
ところで、上記の如く構成されたマルチカラー表示器にあっては、複数のＬＥＤ光源の発光輝度を調整している際、全てのＬＥＤ光源の発光輝度を誤ってレベル０としてしまうと、全く見えないという状態になってしまう。
【０００６】
この現象は、特に車載音響機器や携帯電話等に用いられる液晶表示器や操作スイッチ等のように、夜間等において他の照明光を得られ難い環境下で使用される表示器にあっては、使用勝手が劣ってしまうという問題があった。
【０００７】
本発明は、上記問題を解決するため、複数の異なる発光色のＬＥＤ光源の発光輝度を調整している際に、その複数のＬＥＤ光源の全ての発光輝度がレベル０となってしまうことを防止することができるマルチカラー表示器を提供することを目的とする。
【０００８】
【課題を解決するための手段】
その目的を達成するため、請求項１に記載のマルチカラー表示器は、被表示体を背面から照明するための複数の異なる発光色からなるＬＥＤ光源と、該複数のＬＥＤ光源の発光輝度を独立してレベル０を含む複数段階に調整する操作部とを備えたマルチカラー表示器において、前記操作部によって前記複数のＬＥＤ光源の調整により全てのＬＥＤ光源の発光輝度がレベル０とされた際にはその調整を無効とする制御部を備えていることを要旨とする。
【０００９】
このような請求項１に記載のマルチカラー表示器にあっては、複数の異なる発光色からなるＬＥＤ光源により被表示体が背面から照明され、この複数のＬＥＤ光源の発光輝度が操作部により独立してレベル０を含む複数段階に調整されると共にその調整時に全てのＬＥＤ光源の発光輝度がレベル０とされた際には制御部によりその調整が無効とされる。
【００１０】
これにより、複数のＬＥＤ光源は、調整前の発光輝度のままとなり、バックライト機能が停止した状態となることが無くなり、被表示体が全く見えなくなってしまうということが防止される。
【００１１】
また、請求項２に記載のマルチカラー表示器は、被表示体を背面から照明するための複数の異なる発光色からなるＬＥＤ光源と、該複数のＬＥＤ光源の発光輝度を独立してレベル０を含む複数段階に調整する操作部とを備えたマルチカラー表示器において、前記操作部によって前記複数のＬＥＤ光源の調整により全てのＬＥＤ光源の発光輝度がレベル０とされた際には少なくとも一つのＬＥＤ光源の発光輝度をレベル１以上とする制御部を備えていることを要旨とする。
【００１２】
このような請求項２に記載のマルチカラー表示器にあっては、複数の異なる発光色からなるＬＥＤ光源により被表示体が背面から照明され、この複数のＬＥＤ光源の発光輝度が操作部により独立してレベル０を含む複数段階に調整されると共にその調整時に全てのＬＥＤ光源の発光輝度がレベル０とされた際には制御部により少なくとも一つのＬＥＤ光源の発光輝度がレベル１以上に維持される。
【００１３】
これにより、複数のＬＥＤ光源は、少なくともその一つのＬＥＤ光源が発光状態にあることから、バックライト機能が停止した状態となることが無くなり、被表示体が全く見えなくなってしまうということが防止される。
【００１４】
さらに、請求項３に記載のマルチカラー表示器は、前記制御部は、前記操作部によって前記複数のＬＥＤ光源の調整により全てのＬＥＤ光源の発光輝度がレベル０とされた際には、その最後にレベル０に調整されたＬＥＤ光源の発光輝度をレベル１以上とすることを要旨とする。
ことを要旨とする。
【００１５】
【発明の実施の形態】
次に、本発明のマルチカラー表示器の実施の形態を、車載音響機器に適用し、図面に基づいて説明する。
【００１６】
図３において、１はＣＤプレーヤー等の車載音響機器である。
【００１７】
この車載音響機器１は、音楽用ＣＤ−ＲＯＭ（図示せず）を挿入するＣＤ挿入口２、時間表示やラジオ電波受信時の受信周波数等の表示のほか各種設定モードに応じた機能表示が可能な液晶表示器３、メイン電源スイッチ４、ＣＤ−ＲＯＭの再生位置変更用の巻き戻しスイッチ５並びに早送りスイッチ６を含む各種モードスイッチ７、マルチカラー調整モードスイッチ８、ＵＰスイッチ９、ＤＯＷＮスイッチ１０、ボリュームスイッチ１１等を備えている。尚、これら各種スイッチ４〜１１には、そのスイッチ機能を利用者に認識させるために白色透明樹脂等の透光性材料から形成された文字や記号等の認識手段が設けられている。
【００１８】
また、車載音響機器１の内部には、メイン電源スイッチ４を含む周囲の各種スイッチの認識手段を導光体（図示せず）を利用して背面から照明するためのＬＥＤ光源ユニット１２、各種モードスイッチ７の認識手段を導光体（図示せず）を利用して背面から照明するためのＬＥＤ光源ユニット１３、マルチカラー調整モードスイッチ８を含む周囲の各種スイッチの認識手段を導光体（図示せず）を利用して背面から照明するためのＬＥＤ光源ユニット１４、液晶表示器３を導光体（図示せず）を利用して背面から照明するための一対のＬＥＤ光源ユニット１５，１６を備えている。
【００１９】
尚、これら各ＬＥＤ光源ユニット１２〜１６は、図２に示すように、ＲＧＢの３色（又は、ＲＧの２色）のＬＥＤ光源１７，１８，１９を備えている。このＬＥＤ光源１７，１８，１９は、その発光輝度がレベル０を含む複数段階への調整（例えば、レベル０〜レベル８）を可能としている。
【００２０】
ＬＥＤ光源ユニット１２〜１４のＬＥＤ光源１７，１８，１９はマイクロコンピュータ等の制御部２０を介してスイッチ照明用ドライバ２１により発光制御され、ＬＥＤ光源ユニット１５，１６のＬＥＤ光源１７，１８，１９は制御部２０を介してバックライト用ドライバ２２により発光制御され、液晶表示器３は制御部２０を介して液晶ドライバ２３により表示制御される。
【００２１】
尚、制御部２０は、上述した各種首位位置４〜１１を含む操作部２４からの指令信号に基づいて各種ドライバ２１〜２３を制御するが、ＬＥＤ光源１７，１８，１９の発光輝度の調整を除くＣＤ再生等は周知の制御であるため、ここではその説明を省略する。
【００２２】
スイッチ照明用ドライバ２１とバックライト用ドライバ２２とは、ＬＥＤ光源１７，１８，１９の発光並びに発光輝度の調整に関し、同期して制御部２０に制御される。尚、この各ドライバ２１，２２は、車載音響機器１への実装の際の配線構造を簡素化するために設けたものであり、制御部２０により直接制御することも可能である。
【００２３】
次に、ＬＥＤ光源１７，１８，１９の各々の独立しての発光輝度の調整例を図２のフロー図を参照しつつ説明する。
【００２４】
（ステップ１）
ステップ１では、マルチカラー調整モードスイッチ８が押圧操作されると共に各種モードスイッチ７によりＬＥＤ光源１７，１８，１９の任意の一つが選択された後、ＤＯＷＮスイッチ１０により選択されたＬＥＤ光源１７，１８，１９の発光輝度が減光方向に調整されたか否かが判断され、減光方向に調整された場合にはステップ２へと移行し、増光方向に調整された場合には通常の調整モードとしてそのまま調整が実行される。
【００２５】
（ステップ２）
ステップ２では、選択されたＬＥＤ光源１７，１８，１９に関し、発光輝度のレベル値が調整値となるように減算処理されて、ステップ３へと移行する。尚、調整前の発光輝度のレベル値は制御部２０内のメモリ（図示せず）等に格納される。
【００２６】
（ステップ３）
ステップ３では、例えば、マルチカラー調整モードスイッチ８が再び押圧操作される等のＬＥＤ光源１７，１８，１９の発光輝度調整モード終了操作が行われたことをトリガーとして、全てのＬＥＤ光源１７，１８，１９に対するレベル値が確認され、少なくとも一つのＬＥＤ光源１７，１８，１９のレベル値に「レベル１」以上の値があるか否かが確認され、何れかのＬＥＤ光源１７，１８，１９の発光輝度に関するレベル値に「レベル１」以上の値がある場合にはステップ４へと移行し、全てのＬＥＤ光源１７，１８，１９の発光輝度に関するレベル値が「レベル０」となってしまった場合にはステップ５へと移行する。
【００２７】
（ステップ４）
ステップ４では、ＬＥＤ光源１７，１８，１９の組み合わせ（若しくは単独）による照明色を調整色として決定し、各ドライバ２１，２２を制御する。
【００２８】
（ステップ５）
ステップ５では、全てのＬＥＤ光源１７，１８，１９の発光輝度に関するレベル値が「レベル０」に調整されてしまったため、照明色を調整前のレベル値とするために調整を無効とする。
【００２９】
尚、このステップ５において、調整前のレベル値を記憶するためのメモリを廃止するため、少なくとも一つのＬＥＤ光源１７，１８，１９の発光輝度に関するレベル値を「レベル１」以上としても良い。
【００３０】
この際、最後に減光調整されたＬＥＤ光源１７，１８，１９の発光輝度に関するレベル値を「レベル１」としても良いし、設定された特定のＬＥＤ光源１７，１８，１９の発光輝度に関するレベル値を「レベル１」以上としても良い。
【００３１】
ところで、上記実施の形態では、液晶表示器３と各種スイッチ４〜１１の双方のバックライト機能に関する減光調整を例示したが、液晶表示器３のみ、或いは各種スイッチ４〜１１のみの一方が減光調整可能となっている表示器への適用も可能である。
【００３２】
また、上述した車載音響機器１に限らず、携帯電話における液晶表示器や操作釦スイッチ用のバックライト、その他各種液晶表示器や操作スイッチ用のバックライト全般に適用することができることは勿論である。
【００３３】
【発明の効果】
本発明のマルチカラー表示器にあっては、以上説明したように構成したことにより、複数の異なる発光色のＬＥＤ光源の発光輝度を調整している際に、その複数のＬＥＤ光源の全ての発光輝度がレベル０となってしまうことを防止することができる。
【図面の簡単な説明】
【図１】本発明の実施の形態に係わるマルチカラー表示器の要部のブロック回路図である。
【図２】本発明の実施の形態に係わるマルチカラー表示器の制御ルーチンを示すフロー図である。
【図３】本発明の実施の形態に係わるマルチカラー表示器を採用した車載音響機器の正面図である。
【符号の説明】
３…液晶表示器（被表示体）
４…メイン電源スイッチ（被表示体）
５…巻き戻しスイッチ（被表示体）
６…早送りスイッチ（被表示体）
７…モードスイッチ（被表示体）
８…マルチカラー調整モードスイッチ（被表示体）
９…ＵＰスイッチ（被表示体）
１０…ＤＯＷＮスイッチ（被表示体）
１１…ボリュームスイッチ（被表示体）
１７…ＬＥＤ光源（Ｒ）
１８…ＬＥＤ光源（Ｇ）
１９…ＬＥＤ光源（Ｂ）
２０…制御部
【図１】
2004219580.tif 000003
【図２】
2004219580.tif 000004
【図３】
2004219580.tif 000005